(57)【要約】【課題】安価な構成で、災害時に被災者に対して防災用品を好適に提供することが可能な防災用品収納庫付き街路灯を提供する。【解決手段】防災用品収納庫付き街路灯１は、地面Ｇ上に立設された支柱部２０と、支柱部２０の上端部に設けられた太陽光発電池３０と、支柱部２０の太陽光発電池３０よりも下部に設けられており、太陽光発電池３０からの電力によって照明を行う照明部４０と、支柱部２０の照明部４０よりも下部に設けられており、防災用品を収納可能な防災用品収納庫５１と、を備える。【選択図】図１
0003195199.tif 000002
【実用新案登録請求の範囲】
【請求項１】
地面上に立設された支柱部と、
前記支柱部の上端部に設けられた太陽光発電池と、
前記支柱部の前記太陽光発電池よりも下部に設けられており、前記太陽光発電池からの電力によって照明を行う照明部と、
前記支柱部の前記照明部よりも下部に設けられており、防災用品を収納可能な防災用品収納庫と、
を備えることを特徴とする防災用品収納庫付き街路灯。
【請求項２】
前記太陽光発電池による発電を蓄電する蓄電池を備え、
前記照明部は、前記蓄電池から供給された電力によって照明を行う
ことを特徴とする請求項１に記載の防災用品収納庫付き街路灯。
【請求項３】
前記防災用品収納庫は、前記蓄電池からの電力を供給可能なコンセントを備える
ことを特徴とする請求項２に記載の防災用品収納庫付き街路灯。
【請求項４】
前記太陽光発電池は、両面受光型の太陽光発電池である
ことを特徴とする請求項１から請求項３のいずれか一項に記載の防災用品収納庫付き街路灯。
【請求項５】
前記支柱部は、一対の支柱からなり、
前記太陽光発電池、前記照明部及び前記防災用品収納庫は、それぞれ前記一対の支柱間に設けられている
ことを特徴とする請求項１から請求項４のいずれか一項に記載の防災用品収納庫付き街路灯。
【考案の詳細な説明】
【技術分野】
【０００１】
本考案は、街路灯に関する。
【背景技術】
【０００２】
災害時の防災用品を備蓄するものとして、特許文献１には、街路灯等の地中の基礎と一体に構成された基礎一体型収納庫が記載されている。
【先行技術文献】
【特許文献】
【０００３】
【特許文献１】特開平１０−１５２８４６号公報
【考案の概要】
【考案が解決しようとする課題】
【０００４】
しかし、基礎一体型収納庫においては、地中の基礎に収納庫が一体に構成されるため、製造が困難で高価であるとともに、防災用品を取り出しにくいという問題があった。
【０００５】
本考案は、前記した事情に鑑みてなされたものであり、安価な構成で、災害時に被災者に対して防災用品を好適に提供することが可能な防災用品収納庫付き街路灯を提供することを課題とする。
【課題を解決するための手段】
【０００６】
前記課題を解決するため、本考案の防災用品収納庫付き街路灯は、地面上に立設された支柱部と、前記支柱部の上端部に設けられた太陽光発電池と、前記支柱部の前記太陽光発電池よりも下部に設けられており、前記太陽光発電池からの電力によって照明を行う照明部と、前記支柱部の前記照明部よりも下部に設けられており、防災用品を収納可能な防災用品収納庫と、を備えることを特徴とする。
【０００７】
かかる構成によると、太陽光発電池を備える街路灯の地上部分の防災用品収納庫に防災用品が備蓄されているので、安価な構成で、災害時に被災者に対して防災用品を好適に提供することができる。
【０００８】
前記防災用品収納庫付き街路灯は、前記太陽光発電池による発電を蓄電する蓄電池を備え、前記照明部は、前記蓄電池から供給された電力によって照明を行う構成であってもよい。
【０００９】
かかる構成によると、夜間等に災害が発生した場合であっても、周囲を好適に照明することができ、被災者に対して防災用品の所在を好適に知らせることができる。
【００１０】
前記防災用品収納庫は、前記蓄電池からの電力を供給可能なコンセントを備える構成であってもよい。
【００１１】
かかる構成によると、災害時に携帯電話等の充電やラジオ等への電力供給を行うことができる。
【００１２】
前記太陽光発電池は、両面受光型の太陽光発電池である構成であってもよい。
【００１３】
かかる構成によると、方角の影響を受けずに発電を行うことができ、方角を気にせずに設置することが可能である。
【００１４】
前記支柱部は、一対の支柱からなり、前記太陽光発電池、前記照明部及び前記防災用品収納庫は、それぞれ前記一対の支柱間に設けられている構成であってもよい。
【００１５】
かかる構成によると、太陽光発電池、照明部及び防災用品収納庫の固定強度を高め、災害時における脱落を好適に防止することができる。
【考案の効果】
【００１６】
本考案によると、安価な構成で、災害時に被災者に対して防災用品を好適に提供することができる。
【図面の簡単な説明】
【００１７】
【図１】本考案の実施形態に係る防災用品収納庫付き街路灯を示す図であり、（ａ）は正面図、（ｂ）は側面図である。
【図２】照明部を示す拡大図であり、（ａ）は正面図、（ｂ）は伏図（断面図）である。
【図３】防災用品収納庫を示す拡大図である。
【考案を実施するための形態】
【００１８】
本考案の実施形態について、図面を参照して詳細に説明する。以下の説明において、同一の要素には同一の番号を付し、重複する説明は省略する。
【００１９】
図１に示すように、本考案の実施形態に係る防災用品収納庫付き街路灯１は、独立電源型の街路灯であって、脚部１０と、支柱部２０と、太陽光発電池３０と、照明部４０と、収納庫５０と、蓄電池６０と、を備える。
【００２０】
＜脚部＞
脚部１０は、地面Ｇに埋設されたコンクリート基礎２上に設けられる金属製（例えば、ＳＰＨＣ）の平板部材である。脚部１０は、複数のアンカーボルトＢによって、コンクリート基礎２の上面に固定されている。
【００２１】
＜支柱部＞
支柱部２０は、地面Ｇ上（本実施形態では、コンクリート基礎２上）に立設されて太陽光発電池３０、照明部４０及び収納庫５０を支持する部材である。本実施形態では、支柱部２０は、左右一対の支柱２１，２２からなる。支柱２１，２２は、金属製（例えば、ＳＴＫ４００）の円筒部材である。支柱２１，２２の下端部は、溶接等によって脚部１０の上面に固定されている。支柱２１，２２の内部には、太陽光発電池３０、照明部４０、コンセント５１ｃ（図３参照）及び蓄電池６０を互いに電気的に接続する導線（図示せず）が配設されている。また、支柱２１，２２内に進入した水は、水抜きパイプ３によってコンクリート基礎２の下方に排出される。
【００２２】
＜太陽光発電池＞
太陽光発電池３０は、支柱部２０の上端部に設けられており、太陽光を受光することによって発電し、発電した電力を（本実施形態では蓄電池６０を介して）照明部４０及びコンセント５１ｃ（図３参照）へ供給する。本実施形態において、太陽光発電池３０は、平板形状を呈する両面受光型の発電池であり、支柱２１，２２の上端部の内側に形成された溝部に嵌め込まれることによって、支柱２１，２２間に固定されている。すなわち、太陽光発電池３０は、受光面が地面Ｇと直交する方向すなわち前後方向に向く姿勢をとっている。
【００２３】
＜照明部＞
照明部４０は、支柱部２０の太陽光発電池３０よりも下部に設けられており、太陽光発電池３０によって発電された電力によって発光し、防災用品収納庫付き街路灯１の周囲を照らす。照明部４０は出力１００％、５０％、２０％の３段階で調光可能に設定されている。図２に示すように、照明部４０は、ケース４１と、カバー４２と、複数のＬＥＤ４３と、を備える。
【００２４】
ケース４１は、金属製（例えば、ＡＣ３Ａ）の筐体である。ケース４１は、左右一対の支柱２１，２２間にボルト締結等によって固定されており、支柱２１，２２から前方に延びる形状を呈する。
カバー４２は、透光性材料（例えば、アクリル樹脂）によって形成された円弧形状部材であり、ケース４１の下方に形成された開口部を塞ぐ。
複数のＬＥＤ４３は、ケース４１の下面に格子状に配列されて固定されており、蓄電池６０から供給された電力によって発光する。複数のＬＥＤ４３による光は、カバー４２を介して防災用品収納庫付き街路灯１の周囲の地面Ｇに向かって照射される。
【００２５】
＜収納庫＞
図１に示すように、収納庫５０は、支柱部２０の照明部４０よりも下部である地面Ｇ近傍の地面Ｇ上に設けられており、防災用品７０等を収納可能な金属製（例えば、ＳＰＨＣ）の筐体である。本実施形態において、収納庫５０は、上側の防災用品収納庫５１と、下側の蓄電池収納庫５２と、を一体に備える。
【００２６】
図３に示すように、防災用品収納庫５１は、地面Ｇ上において被災者が防災用品を取り出しやすい高さに設けられており、上下方向に複数段（本実施形態では３段）に区切られたボックス部５１ａと、ボックス部５１ａの前面の開口部を開閉可能な扉部５１ｂと、を備える。ボックス部５１ａの上２段には、防災用品７０が収納されている。防災用品７０としては、災害用携帯トイレ７１、手回し充電式のライト付ラジオ７２、救急用品７３、救助用工具７４等が挙げられる。ボックス部５１ａの下１段の奥面には、コンセント５１ｃが設けられている。コンセント５１ｃには、蓄電池６０から電力が供給されており、携帯電話８０、タブレット端末等の端末装置を充電したり、ラジオ等の電化製品に電力を供給したりすることができる。
【００２７】
図１に示すように、蓄電池収納庫５２は、ボックス部５２ａと、ボックス部５２ａの前面の開口部を開閉可能な扉部５２ｂと、を備える。蓄電池収納庫５２には、蓄電池６０が収納されている。
【００２８】
＜蓄電池＞
蓄電池６０は、太陽光発電池３０によって発電された電力を蓄電するとともに、蓄電された電力を照明部４０及びコンセント５１ｃへ供給する。
【００２９】
図示しない制御部は、照明部４０（詳細には、蓄電池６０と照明部４０の複数のＬＥＤ４３との間に設けられたスイッチ）を制御することによって、複数のＬＥＤ４３を点灯させたり消灯させたりする。防災用品収納庫付き街路灯１は、周囲の照度を検出する照度センサ及びタイマ（図示せず）を備え、制御部が照度センサの検出結果及びタイマの計時に基づいて照明部４０をオンオフ制御する。本実施形態において、制御部は、照度センサの検出結果に基づいて日没を検知したときに、タイマによる計時を開始するとともに照明部４０を出力１００％で点灯させ、続いて、所定時間経過後（例えば、５時間後）、照明部を出力５０％で点灯させ、続いて、所定時間経過後（例えば、２時間後）、出力２０％で点灯させ、続いて、照度センサの検出結果に基づいて日出を検知したときに照明部を消灯させることができる。制御部は、ユーザによるスイッチ等（図示せず）の操作に基づいて、照度センサの検出結果の閾値（日没検知電圧及び日出検知電圧）、タイマによる照明部４０の出力切替時間を変更することができる。また、制御部、タイマ及びスイッチ等は、防災用品収納庫５１又は蓄電池収納庫５２内に設置可能である。
【００３０】
本考案の実施形態に係る防災用品収納庫付き街路灯１は、太陽光発電池３０を備える街路灯の地上部分の防災用品収納庫５１に防災用品７０が備蓄されているので、安価な構成で、災害時に被災者に対して防災用品７０を好適に提供することができる。
また、防災用品収納庫付き街路灯１は、蓄電池６０を備えているので、夜間等に災害が発生した場合であっても、周囲を好適に照明することができ、被災者に対して防災用品７０の所在を好適に知らせることができる。
また、防災用品収納庫付き街路灯１は、コンセント５１ｃを備えているので、災害時に携帯電話８０等の充電やラジオ等への電力供給を行うことができる。
また、防災用品収納庫付き街路灯１は、両面受光型の太陽光発電池を備えているので、方角の影響を受けずに発電を行うことができ、方角を気にせずに設置することが可能である。
また、防災用品収納庫付き街路灯１は、太陽光発電池３０、照明部４０及び収納庫５０が一対の支柱２１，２２間に設けられているので、太陽光発電池３０、照明部４０及び収納庫５０の固定強度を高め、災害時における脱落を好適に防止することができる。
【００３１】
以上、本考案の実施形態について詳細に説明したが、本考案は前記実施形態に限定されず、本考案の要旨を逸脱しない範囲で適宜変更可能である。例えば、防災用品収納庫５１と蓄電池収納庫５２とは、別体であってもよい。また、防災用品収納庫付き街路灯１の表面には、ウレタン塗装等の各種塗装が施されていてもよい。また、防災用品収納庫付き街路灯１は、太陽光発電池３０からの電力に加えて、商用電源等の外部からの電力によって照明部４０を発光させることが可能な構成であってもよい。また、防災用品収納庫付き街路灯１は、照度センサを備えておらず、制御部は、太陽光発電池３０の発電電圧を監視し、発電電圧が所定値未満となった場合（すなわち、周囲が暗くなった場合）に、複数のＬＥＤ４３を点灯させ、発電電圧が所定値以上となった場合に、複数のＬＥＤ４３を消灯させる構成であってもよい。
【符号の説明】
【００３２】
１      防災用品収納庫付き街路灯
２０    支柱部
２１，２２  支柱
３０    太陽光発電池
４０    照明部
５１    防災用品収納庫
５１ｃ  コンセント
６０    蓄電池
７０    防災用品
【図１】
0003195199.tif 000003
【図２】
0003195199.tif 000004
【図３】
0003195199.tif 000005